(57)【要約】  理美容鋏であって、使用者の指の太さや、指環の形状、作りの好みが異なっても、これらにあった指環にすることのできる理美容鋏を提供するものである。その為に、理美容鋏の刃体は少なくとも柄部と指環を有すると共に、前記指環が柄部に着脱可能に設けられたことを特徴とする。また異なる指環が交換可能に準備されたことを特徴とする。
2005090013.tif 000002
【特許請求の範囲】
【請求項１】
２本の刃体を枢着した理美容鋏であって、前記刃体は柄部と指環を有すると共に、前記指環が柄部に着脱可能に設けられたことを特徴とする理美容鋏。
【請求項２】
異なる指環が交換可能に準備されたことを特徴とする請求項１記載の理美容鋏。
【請求項３】
指環に設けられた第一のネジ穴と、柄部に設けられた第二のネジ穴とを有し、
前記指環が前記第二のネジ穴にネジ付けされることにより前記指環の着脱が成されることを特徴とする請求１又は２記載の理美容鋏。
【請求項４】
指環の外周に形成された凹溝状の収納部が、柄部との接続部から前記外周に沿って設けられ、
前記柄部には、前記収納部に収納される指環支持部が前記柄部の端部から延長して形成され、
第一のネジ穴と第二のネジ穴は、前記収納部に前記指環支持部を収納した際にネジ締め可能に連通する様に形成されたことを特徴とする請求項３記載の理美容鋏。
【請求項５】
収納部及びこれに収納される指環支持部は、指環同士が向かい合う外周側に設けられたことを特徴とする請求項３記載の理美容鋏。
【請求項６】
指環の外周の片側を段部状に形成された収納部が、柄部との接続部から前記外周に沿って設けられ、
前記柄部には、前記収納部に収納される指環支持部が延長して形成され、
第一のネジ穴と第二のネジ穴は、前記収納部に前記指環支持部を収納した際にネジ締め可能に連通する様に形成されたことを特徴とする請求項３記載の理美容鋏。
【請求項７】
収納部及びこれに収納される指環支持部は、指環同士が向かい合う外周側に設けられたことを特徴とする請求項３記載の理美容鋏。
【請求項８】
指環に形成させる第一の段部と、柄部に形成させる第二の段部とを、互いに重合可能な形状に設けて指環と柄部との接続部を成すと共に、
前記第一の段部と前記第二の段部とを重合させたときには第一のネジ穴と第二のネジ穴がネジ締め可能に連通する様に形成されたことを特徴とする請求項３記載の理美容鋏。
【請求項９】
指環に設けられた第一のネジ穴にネジを通して前記指環を柄部に着装したときには、前記ネジが前記柄部の軸心にほぼ沿った状態にネジ締めされる様に第二のネジ穴、が形成されたことを特徴とする請求項３記載の理美容鋏。
【請求項１０】
ネジを回動軸とした、柄部と指環との角度関係が選択可能に着装されることを特徴とする請求項３記載の理美容鋏。
【請求項１１】
ネジ締めする際の指環と柄部との重合面に、ネジを回動軸とした指環と柄部との回動ズレを防止するための係止部が形成されたことを特徴とする請求項１０記載の理美容鋏。
【発明の詳細な説明】
【技術分野】  この発明は理美容鋏の改良に関し、詳しくは、理美容鋏を使う者の手や指に合わせることのできる理美容鋏に関する。
【背景技術】  理美容鋏は、理美容技師により使われるのである。しかしこれら理美容技師の手や指の太さは、確認によりマチマチである。
一方、理美容鋏は指環のサイズに大小の区別が無く、ある型式の理美容鋏が指環の大小サイズを違えて数種類準備されているという事はなかった。しかし、理美容技師は一日中、鋏を握っているので、鋏の指環が自分の指の太さに合うかどうかで、その使い易さが大きく左右される。特に理美容鋏の指環は、一般に指１本だけを挿す様になっていて（つまり、一部の事務用鋏の様に指２本を通せる指環ではなくて）、しかも比較的小さな指環にしてあり指の太さに近い大きさであるのが一般である。これは髪を切るときには細かな作業をするので、握った鋏をグラつくことなく細かくコントロールする必要があり、その為に、指より少しだけ太い大きさの環にして、指環に遊びがなるべく無い様にしてあるからである。
これに対して、指環の内側にゴムのリングを嵌めたものがある。更に、このゴムリングを交換可能にしたものがあり、ゴムリングの内径の大小異なるものが数種類のものを準備されたものがある。つまり鋏の使用者である理美容技師は、このゴムリングの中から自分の指の太さにあった内径のゴムリングを選び、これを指環の内側に嵌めて用いることのより、自分の指にあった鋏とすることができるのである。
ただ、ステンレスだけでできた一般的な指環に比べ、ゴムリングは指の滑りが悪く、使い勝手が悪いなどして余り普及していない。
またゴムリンクを用いない一般的な指環であっても、上述した様に比較的小さな指環であるため、指の太い人であれば挿し難く、また挿しても必要な遊びがないので使いづらいなどの問題がある。しかし先に述べた様に、理美容鋏には指環のサイズ別の鋏というものは提供されておらず、よって使いにくさを我慢して使うこととなる。
しかし指が太く、どうしても自分には鋏の指環が小さいという場合がある。この様な場合には、指環を金ノコなどで切り、切れ目を拡げるなどして自分に合う大きさにして使っているのである。
この様な指環の大きさが指に合わないという問題は、指の細い人に対しても同様に生ずるのであり、指環がもう少し小さい方がいいという場合もある。また指環の大きさ限らず、指環の形状や構造も、各技術者によって好みや使い難さがある。
以上の問題を鑑み、本願発明の目的とするところは、理美容鋏であって、使用者の手や指の太さ、指環の形状や構造の好みが異なっても、これらにあった指環にすることのできる理美容鋏を提供することにある。
【発明の開示】
以上の課題を解決するために、本願発明では、刃体が有する柄部と指環に関し、指環が柄部に着脱可能に設けた。指環は柄部とは別体に設けられており、この指環の着脱はどのような方法でもよい。また２本の刃体に対し、着脱の方法は同じであっても、異なっていてもよい。この様に指環の着脱が可能になるので、指環の大きさや形状の違えたものを揃えておくことにより、各理美容技師は、自分の手や指に応じた指環を選ぶことができ、これにより理美容作業が行いやすくなる。
本願の別の発明ではこの着脱をネジで行う様にした。つまり、指環には第一のネジ穴を設け、柄部には第二の指環を設けるのである。これにより指環が第二のネジ穴にネジ付けされて着脱が成されるのである。ネジ穴の設け方は自在でよく、２本の刃体に対し、ネジ穴の設け方は同じであっても、異なっていてもよい。
また別の発明では、柄部側に指環支持部を形成し、柄部に着装される指環をこの指環支持部で支持させたものである。このために、指環の外周には、柄部との接続部から外周に沿って凹溝状の収納部を設けてある。また柄部には、この収納部に収納される指環支持部が柄部の端部から延長して形成されている。そして指環の外周に設けられた収納部に、柄部側の指環支持部が収納させる状態で指環の着装が成されるのである。また第一のネジ穴と第二のネジ穴は、収納部に指環支持部を収納した際には、ネジ締め可能に連通する様に形成されている。この発明であると、柄部の指環支持部が指環の外周を支持するので指環のグラつきがなく、指環が柄部と一体感を持たせることができる。
また別の発明では、収納部や指環を指環同士が向かい合う外周側に設けてあり、このために、髪を切るときには、指環に加わる力を指環支持部で受けることができ、指環がネジを軸にして回動ズレすることが避けられる。また髪を切るときの指の力が、指環支持部を介して直接柄部に伝わるので髪を切る操作が行いやすくなる。
また別の発明では、柄部側に指環支持部を形成する点は同様ながら、指環側の収納部を次の様に変えた。即ち、外周には、凹溝状ではなくこの段部状の収納部を設けるものであり、柄部側の指環支持部もこの収納部に収納される様に形成するのである。
また別の発明では、指環に形成させる第一の段部と、柄部に形成させる第二の段部とを、互いに重合可能な形状に設けて指環と柄部との接続部を成す様にした。このときには、第一の段部と第二の段部とを重合させたときには第一のネジ穴と第二のネジ穴がネジ締め可能に連通する様に形成した。第一段部と第二段部の設け方は、例えば柄部の、刃体の表裏となる側と同じ側に段を形成させたものでもよい。
また別の発明では、指環に設けられた第一のネジ穴にネジを通して指環を柄部に着装したときには、ネジが柄部の軸心にほぼ沿った状態にネジ締めされる様に第二のネジ穴、を形成した。
また別の発明では、ネジを回動軸として、別体の指環を柄部に対して角度関係を選択して取り付ける様にした。これによれば、指環の向きを自在に変えることができるので、鋏を握るときの握り方に応じた角度に設定できる。これに対しては、着装した指環がネジを軸にしてズレてしまうことが考えられるが、そのような場合には、別の発明として、ネジ締めする際の指環と柄部との重合面に、指環と柄部とが係止合う係止部を設け、これによりネジを回動軸として指環と柄部とが相互に回動ズレを防止できる。
【図面の簡単な説明】  図１は、実施例１Ａの理美容鋏の図である。
図２は、柄部から、指環を外した分解図である。
図３は、実施例１Ｂの理美容鋏の図である。
図４は、柄部から、指環を外した分解図である。
図５は、実施例１Ｃの理美容鋏の図である。
図６は、柄部から、指環を外した分解図である。
図７は、実施例２の理美容鋏の指環を外した分解図である。
図８は、Ａ−Ａ断面図である。
図９は、実施例３の理美容鋏の図である。
図１０は、柄部から、指環を外した分解図である。
図１１は、実施例５の理美容鋏の図であり、指環の柄部との着装部分を切り欠いてある。
図１２は、理美容鋏の部分切り欠き図である。
図１３は、実施例４の理美容鋏の図である。
図１４は、柄部から、指環を外した分解図である。
図１５は、実施例６に示す理美容鋏の部分分解図である。
図１６は、実施例７に示す理美容鋏の部分分解図である。
【発明を実施するための最良の形態】  次に、本願発明の実施例を示す。
（実施例１Ａ）図１に示す鋏１００は請求項４に係る実施例であり、図２に示す様に指環１１０の外周に形成された凹溝状の収納部１１１が、柄部１２０との接続部から外周に沿って延びる様に設けられている。また柄部１２０には、この収納部１１１に収納される指環支持部１２１が、柄部１２０の端部１２２から延長して形成されている。１つの鋏に指環１１０は２つあるが、どちらの柄部１２０に取り付けるかによって、指環１１０の形状や、指環１１０のどの位置を柄１２０に取り付けるかが異なっている。動刃の柄部１２０Ａは比較的Ｙ字状に指環支持部が形成されており、また静刃側の柄部１２０Ｂは片側に延びる指環支持部１２１に形成されている。
具体的には指環１１０は、柄部１２０と接続される部分が外周側に突き出た接続片１１２を表裏に２枚有し、この２枚の間にスリット１１３が設けられている。そしてこのスリット１１３が指環外周の凹溝１１４に連通しており、このスリット１１３と凹溝１１４で収納部１１１を形成している。
柄部１２０は、その端部１２２が薄く形成されていて、指環側のスリット１１３に差し込まれる様に形成されており、この端部１２２が指環１１０の外周の沿う状態に延長されて指環支持部１２１を成している。
指環１１０は、この接続片１１２の表裏に貫通して第一のネジ穴１１５が設けられており、また柄部１２０の薄い端部１２２には第二のネジ穴１２５が形成されている。そしてこれら２つの穴１１５，１２５は、収納部１１１に指環支持部１２１を収納した際にネジ締め可能に連通する様に形成されている。そして連通した状態でネジ締めをすることにより、図１に示した様な鋏となる。
これにより、鋏を閉じる操作をする時には、指の力を柄部の指環支持部１２１で受けることができ、操作する時の指の感触も良好となる。また指環支持部１２１はその大半が収納部１１１に収納されてるので、柄部１２０に対する指環１１０のグラつきが生じにくくなり、鋏の開閉操作の時には柄部１２０と指環１１０との一体感が増す。さらに、指環支持部１２１が指環１１０に収納されて露出にくくなるので、見た目にも指環１１０との一体感が増し、外観的にも優れる。
（実施例１Ｂ）図３〜４に示す鋏１００Ｂは、実施例１Ａの鋏１００Ａとほぼ同様ながらも、柄部１２０の指環支持部１２１を長く形成して、Ｙ字状にしたものである。これであれば、指環１１０への支持が強化され、指環１１０が一層安定する。
（実施例１Ｃ）図５〜６に示す鋏１００Ｃは、指環支持部１２１を指環１１０，１１０同士が向かい合う側だけに設けたものである。これであっても鋏１００を閉じるときに指環１１０にかかる力を、収納部１１１に収納されている指環支持部１２１で受けることができるので、鋏を操作する時には指環１１０と柄部１２０との一体感が得られ、操作の時の手の感触も良好である。また鋏１００Ｃを閉じた時の閉じ位置はヒットポイントＰで決まるが、このヒットポイントＰは一般的には指環にも設けられている。しかしこの鋏１００Ｃは、柄部１２０の内側にヒットポイントＰとその受け部Ｐ’が設けられていて、指環１１０の交換やこれに伴う指環１１０，１１０同士の間隔の広狭変動にも干渉されない様に対応している。
（実施例２）図７に示す鋏２００は請求項６〜７に係る実施例であり、指環２１０の外周には、指環２１０，２１０同士が対面し合う外周の片面側に、図８に示す様な段部状に凹設されていて、後述する指環支持部２２１を収納する収納部２１１になっている。そしてこの様な収納部２１１が、柄部２２０との接続部からの外周に沿って設けられている。また柄部２２０には、その端部２２２が延長された状態となって、収納部２１１に収納される指環支持部２２１が形成されている。この鋏２００も、その収納部２１１と指環支持部２２１は、指環２１０，２１０同士が向かい合う側だけに設けたものである。これであっても鋏２００を閉じるときに指環２１０にかかる力を指環支持部２２１で受けることができるので、操作するときには指環２１０と柄部２２０との一体感が得られ、操作の時の手の感触も良好である。
（実施例３）図９〜１０に示す鋏３００は請求項８に係る実施例であり、指環３１０の柄部３２０との接続部が第一の段部３１１に形成され、柄部３２０の端部３２２には第一の段部３１１の形状に対応し形状の第二の段部３２３が形成されている。そしてこれら２つの段部３１１，３２３を重ねると、第一のネジ穴３１５と第二のネジ穴３２５が指環３１０の面に直角な方向に連通して、ここにネジ締めが成される様になっている。
（実施例４）図１１〜１２に示す鋏４００は請求項９〜１１に係る実施例であり、図１１中の切り欠き部分Ｘに示した様に、指環４１０の内側から外側に貫通する第一のネジ穴４１５が、この指環４１０を着装したときの柄部４２０の軸芯に沿った位置に形成され、また柄部４２０には第一のネジ穴４１５に連通する位置に第二のネジ穴４２５が形成されている。そして指環４１０の内側からネジ３０を挿し込み、第一の４１５ら第二のネジ穴４２５にネジ締めしてある。またこの指環４１０は、ネジ３０を回動軸として、柄部４２０に対して相対的に回動することができ、これにより柄部４２０と指環４１０との角度関係が選択可能に装着される。また指環４１０の第一の重合面４１１と柄部の第二の重合面４２１には、互いに係止し合う凹凸面が係止部として形成されており、指環４１０の柄部４２０に対する角度関係を選択してネジを締めると、係止部により、図１２中に示した矢印のような回動ズレも生じない。
（実施例５）図１３に示す理美容鋏５００は、図１４に示す様に指環５１０が柄部２０から外れる様に構成されている。即ちこの鋏５００は指環５１０と柄部５２０との間に、指環５１０に設けられた第一のネジ穴５１５と、指環５１０を着装する柄部５２０に設けられた第二のネジ穴５２５と、これら第一のネジ穴５１５と第二のネジ穴５２５にネジ締めされるネジ３０とを有している。詳しくは以下の様になっている。
指環５１０は、その外周面に第一の取付面５１２が形成されて柄部５２０に着装する際の取付面になっている。そしてこの第一の取付面５１２には、第一のネジ穴５１５と、柄部５２０に設けられた後述する突起５２２に係止する係止穴５１３とが設けられている。
柄部５２０はその端部５２３，５２３同士が平行となる様な形状に形成され、この端部５２３の外側に指環５１０が着装される様になっていて、この着装位置には、指環側の第一の取付面５１２に対応した形状の第二の取付面５２４が形成されている。又ここには第二のネジ穴５２５が貫通して設けられ、更に第二の取付面５２４には小さな円柱状の突起５２２が設けられて、指環５１０の係止穴５１３に嵌められる様になっている。
指環５１０の着装であるが、まず指環５１０を柄部５２０側の突起５２２に嵌め、次に柄部５２０の内側（２本の柄部５２０，５２０同士が向かい合う側）からネジ３０を挿し、柄部５２０を突き抜けて指環５１０までをネジ締めすることにより着装できる。指環５１０を外すときは、この操作を逆に行えばよい。
この様な構成と方法により、指環５１０の交換が可能であり、よって大きさや形状を違えた指環を数種類準備されることにより、使用者は自分の指の太さや好みの形状の指環を着装した鋏を得ることができる。
（実施例６）図１５に示す鋏６００は、交換される指環６１０が、円周の一部を切り欠かれたリング６１１に形成され、切り欠かれた端部６１２が、柄部６２０にネジ締めする押さえカバー６２１に収納された状態で着装される様になっている。即ち、指環６１０の切欠かれた端部６１２にはこの端部６１２から細く突き出た凸部６１３が設けられており、一方、柄部の端部６２２は略Ｙ字状に形成されて、このＹ字部分が指環６１０の切り欠かれて欠落した部分６１４を補うかたちで着装される様になっている。またＹ字の端部６２２は、図１５中でいう表側半分が切り欠かれた状態になっており、切り欠かれた残りのＹ字の端部６２２には、指環６１０の凸部６１３を収納できる凹部６２３が形成されている。そしてこの凹部６２３に指環６１０の凸部６１３を収納する様になっている。その際には凹部６２３内にピン６２４が凸設されていて、凸部６１３に貫通されている係止穴６２５に嵌る様になっている。そして、この様にして指環６１０を柄部６２０の収納部２６に嵌めてから、押さえカバー６２１を被せてネジ締めすることにより着装が完了する。
（実施例７）図１６に示す鋏７００は、実施例６と同様に交換される指環７１０が、切り欠かれた２つのリング７１１，７１１を重ねた状態で形成されており、取り付け方も実施例６と類似している。
即ち、柄部７２０の端部７２２が略Ｙ字状に形成されており、このＹ字の端部７２２は表裏が切り欠かれた状態となっている。そしてこの切り欠かれたＹ字の端部７２２の表側７２２Ａと裏側７２２Ｂには、リング７１１の端部７１２を収納するための凹部７２３が形成されている。またこの凹部７２３に収納させたリング７１１は、２つの押さえカバー７２１，７２１により表裏から挟んで固定される様になっている。
また表側の凹部７２３内にピン７２４が凸設され、表側のリング７１１の端部７１２に貫通されている係止穴７２５に嵌る様になっている。一方、裏側の凹部にはピンがなく、代わりに裏側の押さえカバー７２１の凹部７２６にピン７２７が凸設されていて、ここに裏側リング７１１の端部に貫通されている係止穴が嵌る様になっている。
そして、この様にして２つのリング７１１，７１１を柄部７２０の表裏の凹部７２３に嵌め、２つの押さえカバー７２１，７２１が被せてこれをネジ締めすることにより着装が完了する。
なお、以上の鋏はいずれも交換用の指環を数種類準備されており、大きさや形状が各種揃えられているので、自分の指の太さや好みの形状の指環を着装した鋏を得ることができる。
【図１】
2005090013.tif 000003
【図３】
2005090013.tif 000004
【図２】
2005090013.tif 000005
【図４】
2005090013.tif 000006
【図５】
2005090013.tif 000007
【図６】
2005090013.tif 000008
【図７】
2005090013.tif 000009
【図８】
2005090013.tif 000010
【図９】
2005090013.tif 000011
【図１０】
2005090013.tif 000012
【図１１】
2005090013.tif 000013
【図１２】
2005090013.tif 000014
【図１３】
2005090013.tif 000015
【図１４】
2005090013.tif 000016
【図１５】
2005090013.tif 000017
【図１６】
2005090013.tif 000018
【国際調査報告】
2005090013.tif 000019
2005090013.tif 000020
2005090013.tif 000021
2005090013.tif 000022